(57)【要約】【課題】予定された収集物とは種類の異なる分別回収物や道具などの収納物を収納できる収納容器付き塵芥収集車を提供すること。【解決手段】塵芥を収容する収容箱１０と、収容箱１０の後方開口部１１に連通させて装着する投入箱２０とを有し、投入箱２０が、収容箱１０の後方開口部１１に対向するフロント面２０Ｆと、後部扉２１を有するリア面２０Ｒと、一対の側壁２２とで囲まれる空間２３Ｓ内に、塵芥を収容箱１０に導く掻き込み手段３０を備えた収納容器付き塵芥収集車であって、掻き込み手段３０とリア面２０Ｒとの間で、かつ、掻き込み手段３０の作動軌跡範囲外に収納容器４０を設けたことを特徴とする。【選択図】        図１
2014208554.tif 000002
【特許請求の範囲】
【請求項１】
塵芥を収容する収容箱と、前記収容箱の後方開口部に連通させて装着する投入箱とを有し、
前記投入箱が、前記収容箱の前記後方開口部に対向するフロント面と、後部扉を有するリア面と、一対の側壁とで囲まれる空間内に、前記塵芥を前記収容箱に導く掻き込み手段を備えた収納容器付き塵芥収集車であって、
前記掻き込み手段と前記リア面との間で、かつ、前記掻き込み手段の作動軌跡範囲外に収納容器を設けたことを特徴とする収納容器付き塵芥収集車。
【請求項２】
前記収納容器が、前記リア面側に位置する後板と、前記フロント面側に位置する前板と、前記側壁側に位置する一対の側板と、底面側に位置する底板とで形成され、
前記後板と前記前板とで規制される奥行き寸法より、一対の前記側板で規制される幅寸法が大きいことを特徴とする請求項１に記載の収納容器付き塵芥収集車。
【請求項３】
前記収納容器を、昇降手段によって前記投入箱に設け、
前記昇降手段によって、少なくとも前記収納容器の一部が前記後部扉外に位置する投入位置に、前記収納容器を配置できることを特徴とする請求項１又は請求項２に記載の収納容器付き塵芥収集車。
【請求項４】
前記収納容器が前記投入箱内に位置する収納位置よりも前記投入位置を低くしたことを特徴とする請求項３に記載の収納容器付き塵芥収集車。
【請求項５】
前記収納容器に、前記側板に平行な仕切板を設け、
前記仕切板が、一対の前記側板の間で移動できることを特徴とする請求項１から請求項４のいずれかに記載の収納容器付き塵芥収集車。
【請求項６】
前記収納容器に、蓋板を設け、
前記蓋板を、前記昇降手段の動作に伴って、前記収納位置で閉とし、前記投入位置で開とすることを特徴とする請求項４又は請求項５に記載の収納容器付き塵芥収集車。
【請求項７】
前記収納容器を反転させて前記底板を上面とする反転機構を有することを特徴とする請求項１から請求項６のいずれかに記載の収納容器付き塵芥収集車。
【請求項８】
前記後板又は前記底板にハンドルレバーを設け、前記ハンドルレバーの操作によって前記昇降手段の動作を可能とすることを特徴とする請求項２から請求項７のいずれかに記載の収納容器付き塵芥収集車。
【請求項９】
前記収納容器に照射手段を設け、少なくとも前記投入位置では前記照射手段による照明を行うことを特徴とする請求項３から請求項８のいずれかに記載の収納容器付き塵芥収集車。
【請求項１０】
前記投入位置では前記掻き込み手段の動作を停止することを特徴とする請求項３から請求項９のいずれかに記載の収納容器付き塵芥収集車。
【請求項１１】
前記リア面に小窓を設け、前記小窓から前記収納容器に収納物を投入可能とすることを特徴とする請求項１に記載の収納容器付き塵芥収集車。
【請求項１２】
前記掻き込み手段が、前記フロント面と前記リア面との間で揺動する押し込み板と、前記押し込み板より下方において回転軸を中心にして回転する回転板とで構成され、
前記収納容器を、前記押し込み板と前記リア面との間で、前記回転板の回転軌跡範囲より上方位置に設けたことを特徴とする請求項１から請求項１１のいずれかに記載の収納容器付き塵芥収集車。
【請求項１３】
前記掻き込み手段が、上下方向に移動するアーム部材と、前記アーム部材の下端に回転軸を有して所定角度回動する押し込み板とで構成され、
前記収納容器を、前記アーム部材と前記リア面との間で、前記押し込み板の回動軌跡範囲より上方位置に設けたことを特徴とする請求項１から請求項１１のいずれかに記載の収納容器付き塵芥収集車。
【請求項１４】
一対の前記側壁によって保持される収納容器用バーを設け、
前記収納容器を前記収納容器用バーに取り付けることを特徴とする請求項１又は請求項２に記載の収納容器付き塵芥収集車。
【請求項１５】
一対の前記側壁に、前記収納容器用バーを保持する受け具を設け、
前記収納容器を前記収納容器用バーとともに前記受け具から取り外しできることを特徴とする請求項１４に記載の収納容器付き塵芥収集車。
【請求項１６】
前記収納容器用バーを、第１の収納容器用バーと第２の収納容器用バーとで構成し、
前記収納容器を、前記第１の収納容器用バーの下方に吊り下げ、前記第２の収納容器用バーと前記リア面との間に配置したことを特徴とする請求項１４又は請求項１５に記載の収納容器付き塵芥収集車。
【請求項１７】
前記収納容器用バーを、第１の収納容器用バーと第２の収納容器用バーとで構成し、
前記収納容器を、前記第１の収納容器用バーと前記第２の収納容器用バーとで吊り下げることを特徴とする請求項１４又は請求項１５に記載の収納容器付き塵芥収集車。
【請求項１８】
前記第１の収納容器用バーを前記第２の収納容器用バーよりも前記リア面側に配置し、
前記第２の収納容器用バーを、前記第１の収納容器用バーよりも低い位置としたことを特徴とする請求項１６又は請求項１７に記載の収納容器付き塵芥収集車。
【発明の詳細な説明】
【技術分野】
【０００１】
本発明は、塵芥を収容する収容箱と、収容箱の後方開口部に連通させて装着する投入箱とを有し、投入箱が、収容箱の後方開口部に対向するフロント面と、後部扉を有するリア面と、一対の側壁とで囲まれる空間内に、塵芥を収容箱に導く掻き込み手段を備えた収納容器付き塵芥収集車に関する。
【背景技術】
【０００２】
塵芥収集車としては、一般に回転式塵芥収集車とプレス式塵芥収集車が用いられており、特許文献１には、回転式塵芥収集車とプレス式塵芥収集車との基本的な構成が開示されている。
【先行技術文献】
【特許文献】
【０００３】
【特許文献１】特開２００７−２０４２７６号公報
【発明の概要】
【発明が解決しようとする課題】
【０００４】
予定された収集物とは種類の異なる分別回収物が廃棄されている場合は少なくなく、塵芥の収集作業時には、このような分別回収物についても収集している。
多くの場合には、車両外部の空間に収納容器を設け、又は収納袋をぶら下げることで対応している。
しかし、車両外部に収納する場合には、外観を損なうだけでなく。車両走行時に落下や飛散の可能性がある。
また、特に蛍光灯などの長尺物は、収納するスペースがないという問題を有している。
【０００５】
本発明は、予定された収集物とは種類の異なる分別回収物や道具などの収納物を収納できる収納容器付き塵芥収集車を提供することを目的とする。
【課題を解決するための手段】
【０００６】
請求項１記載の本発明の収納容器付き塵芥収集車は、塵芥を収容する収容箱と、前記収容箱の後方開口部に連通させて装着する投入箱とを有し、前記投入箱が、前記収容箱の前記後方開口部に対向するフロント面と、後部扉を有するリア面と、一対の側壁とで囲まれる空間内に、前記塵芥を前記収容箱に導く掻き込み手段を備えた収納容器付き塵芥収集車であって、前記掻き込み手段と前記リア面との間で、かつ、前記掻き込み手段の作動軌跡範囲外に収納容器を設けたことを特徴とする。
請求項２記載の本発明は、請求項１に記載の収納容器付き塵芥収集車において、前記収納容器が、前記リア面側に位置する後板と、前記フロント面側に位置する前板と、前記側壁側に位置する一対の側板と、底面側に位置する底板とで形成され、前記後板と前記前板とで規制される奥行き寸法より、一対の前記側板で規制される幅寸法が大きいことを特徴とする。
請求項３記載の本発明は、請求項１又は請求項２に記載の収納容器付き塵芥収集車において、前記収納容器を、昇降手段によって前記投入箱に設け、
前記昇降手段によって、少なくとも前記収納容器の一部が前記後部扉外に位置する投入位置に、前記収納容器を配置できることを特徴とする。
請求項４記載の本発明は、請求項３に記載の収納容器付き塵芥収集車において、前記収納容器が前記投入箱内に位置する収納位置よりも前記投入位置を低くしたことを特徴とする。
請求項５記載の本発明は、請求項１から請求項４のいずれかに記載の収納容器付き塵芥収集車において、前記収納容器に、前記側板に平行な仕切板を設け、前記仕切板が、一対の前記側板の間で移動できることを特徴とする。
請求項６記載の本発明は、請求項４又は請求項５に記載の収納容器付き塵芥収集車において、前記収納容器に、蓋板を設け、前記蓋板を、前記昇降手段の動作に伴って、前記収納位置で閉とし、前記投入位置で開とすることを特徴とする。
請求項７記載の本発明は、請求項１から請求項６のいずれかに記載の収納容器付き塵芥収集車において、前記収納容器を反転させて前記底板を上面とする反転機構を有することを特徴とする。
請求項８記載の本発明は、請求項２から請求項７のいずれかに記載の収納容器付き塵芥収集車において、前記後板又は前記底板にハンドルレバーを設け、前記ハンドルレバーの操作によって前記昇降手段の動作を可能とすることを特徴とする。
請求項９記載の本発明は、請求項３から請求項８のいずれかに記載の収納容器付き塵芥収集車において、前記収納容器に照射手段を設け、少なくとも前記投入位置では前記照射手段による照明を行うことを特徴とする。
請求項１０記載の本発明は、請求項３から請求項９のいずれかに記載の収納容器付き塵芥収集車において、前記投入位置では前記掻き込み手段の動作を停止することを特徴とする。
請求項１１記載の本発明は、請求項１に記載の収納容器付き塵芥収集車において、前記リア面に小窓を設け、前記小窓から前記収納容器に収納物を投入可能とすることを特徴とする。
請求項１２記載の本発明は、請求項１から請求項１１のいずれかにに記載の収納容器付き塵芥収集車において、前記掻き込み手段が、前記フロント面と前記リア面との間で揺動する押し込み板と、前記押し込み板より下方において回転軸を中心にして回転する回転板とで構成され、前記収納容器を、前記押し込み板と前記リア面との間で、前記回転板の回転軌跡範囲より上方位置に設けたことを特徴とする。
請求項１３記載の本発明は、請求項１から請求項１１のいずれかにに記載の収納容器付き塵芥収集車において、前記掻き込み手段が、上下方向に移動するアーム部材と、前記アーム部材の下端に回転軸を有して所定角度回動する押し込み板とで構成され、前記収納容器を、前記アーム部材と前記リア面との間で、前記押し込み板の回動軌跡範囲より上方位置に設けたことを特徴とする。
請求項１４記載の本発明は、請求項１又は請求項２に記載の収納容器付き塵芥収集車において、一対の前記側壁によって保持される収納容器用バーを設け、前記収納容器を前記収納容器用バーに取り付けることを特徴とする。
請求項１５記載の本発明は、請求項１４に記載の収納容器付き塵芥収集車において、一対の前記側壁に、前記収納容器用バーを保持する受け具を設け、前記収納容器を前記収納容器用バーとともに前記受け具から取り外しできることを特徴とする。
請求項１６記載の本発明は、請求項１４又は請求項１５に記載の収納容器付き塵芥収集車において、前記収納容器用バーを、第１の収納容器用バーと第２の収納容器用バーとで構成し、前記収納容器を、前記第１の収納容器用バーの下方に吊り下げ、前記第２の収納容器用バーと前記リア面との間に配置したことを特徴とする。
請求項１７記載の本発明は、請求項１４又は請求項１５に記載の収納容器付き塵芥収集車において、前記収納容器用バーを、第１の収納容器用バーと第２の収納容器用バーとで構成し、前記収納容器を、前記第１の収納容器用バーと前記第２の収納容器用バーとで吊り下げることを特徴とする。
請求項１８記載の本発明は、請求項１６又は請求項１７に記載の収納容器付き塵芥収集車において、前記第１の収納容器用バーを前記第２の収納容器用バーよりも前記リア面側に配置し、前記第２の収納容器用バーを、前記第１の収納容器用バーよりも低い位置としたことを特徴とする。
【発明の効果】
【０００７】
本発明の収納容器付き塵芥収集車によれば、塵芥収集時において、予定された収集物とは種類の異なる分別回収物が廃棄されている場合であっても、この分別回収物を、収容箱とは区別して収納でき、又は道具などの収納物を収納でき、この収納容器を投入箱内のデッドスペースに設けることで、車両走行時に飛散することもない。
【図面の簡単な説明】
【０００８】
【図１】本発明の一実施例による収納容器付き塵芥収集車の構成図
【図２】同塵芥収集車をリア面から見た要部斜視図
【図３】同塵芥収集車に用いる収納容器を示す斜視図
【図４】同塵芥収集車において収納容器が収納位置にある状態を示す投入箱の要部構成図
【図５】同塵芥収集車において収納容器が投入位置にある状態を示す投入箱の要部構成図
【図６】同塵芥収集車において収納容器の廃棄動作状態を示す投入箱の要部構成図
【図７】本発明の他の実施例による収納容器付き塵芥収集車において収納容器が収納位置にある状態を示す投入箱の要部構成図
【図８】同塵芥収集車において収納容器が投入位置にある状態を示す投入箱の要部構成図
【図９】図７から図８への動作状態を示す投入箱の要部構成図
【図１０】本発明の更に他の実施例による塵芥収集車において収納容器を示す投入箱の要部構成図
【図１１】本発明の更に他の実施例による塵芥収集車において収納容器を示す投入箱の要部構成図
【図１２】本発明の更に他の実施例による塵芥収集車において収納容器を示す投入箱の要部構成図
【発明を実施するための形態】
【０００９】
本発明の第１の実施の形態による収納容器付き塵芥収集車は、塵芥を収容する収容箱と、収容箱の後方開口部に連通させて装着する投入箱とを有し、投入箱が、収容箱の後方開口部に対向するフロント面と、後部扉を有するリア面と、一対の側壁とで囲まれる空間内に、塵芥を収容箱に導く掻き込み手段を備えた収納容器付き塵芥収集車であって、掻き込み手段とリア面との間で、かつ、掻き込み手段の作動軌跡範囲外に収納容器を設けたものである。本実施の形態によれば、塵芥収集時において、予定された収集物とは種類の異なる分別回収物が廃棄されている場合であっても、この分別回収物を、収容箱とは区別して収納容器に収納でき、又は道具などの収納物を収納でき、この収納容器を投入箱内のデッドスペースに設けているため、車両走行時に飛散することもない。
【００１０】
本発明の第２の実施の形態は、第１の実施の形態による収納容器付き塵芥収集車において、収納容器が、リア面側に位置する後板と、フロント面側に位置する前板と、側壁側に位置する一対の側板と、底面側に位置する底板とで形成され、後板と前板とで規制される奥行き寸法より、一対の側板で規制される幅寸法が大きいものである。本実施の形態によれば、例えば蛍光灯などの長尺物を収納することができる。
【００１１】
本発明の第３の実施の形態は、第１又は第２の実施の形態による収納容器付き塵芥収集車において、収納容器を、昇降手段によって投入箱に設け、昇降手段によって、少なくとも収納容器の一部が後部扉外に位置する投入位置に、収納容器を配置できるものである。本実施の形態によれば、収納容器を投入位置に配置できることで、収納容器への収納作業が行い易い。
【００１２】
本発明の第４の実施の形態は、第３の実施の形態による収納容器付き塵芥収集車において、収納容器が投入箱内に位置する収納位置よりも投入位置を低くしたものである。本実施の形態によれば、収納容器への収納作業が更に容易となる。
【００１３】
本発明の第５の実施の形態は、第１から第４の実施の形態による収納容器付き塵芥収集車であって、収納容器に、側板に平行な仕切板を設け、仕切板が、一対の側板の間で移動できるものである。本実施の形態によれば、種類の異なる分別回収物を区分して収納できるとともに道具などの収納物を収納でき、また長尺物の収納もできる。
【００１４】
本発明の第６の実施の形態は、第４又は第５の実施の形態による収納容器付き塵芥収集車であって、収納容器に、蓋板を設け、蓋板を、昇降手段の動作に伴って、収納位置で閉とし、投入位置で開とするものである。本実施の形態によれば、車両走行時や収納容器の動作時に収納物が落下することを防止でき、更に収納物の収納作業性を低下させない。
【００１５】
本発明の第７の実施の形態は、第１から第６の実施の形態による収納容器付き塵芥収集車であって、収納容器を反転させて底板を上面とする反転機構を有するものである。本実施の形態によれば、収納した収納物の廃棄や取り出しを容易に行える。
【００１６】
本発明の第８の実施の形態は、第２から第７の実施の形態による収納容器付き塵芥収集車であって、後板又は底板にハンドルレバーを設け、ハンドルレバーの操作によって昇降手段の動作を可能とするものである。本実施の形態によれば、収納位置及び投入位置で収納容器の動きを規制することで作業性を高め、更にハンドルレバーを用いた操作を強制することで、危険な空間への手の挿入などを無くして安全性を高めることができる。
【００１７】
本発明の第９の実施の形態は、第３から第８の実施の形態による収納容器付き塵芥収集車であって、収納容器に照射手段を設け、少なくとも投入位置では照射手段による照明を行うものである。本実施の形態によれば、収納容器が投入位置に配置されることで、視認しにくくなる投入口を明るくして作業の安全性を高めることができる。
【００１８】
本発明の第１０の実施の形態は、第３から第９の実施の形態による収納容器付き塵芥収集車であって、投入位置では掻き込み手段の動作を停止するものである。本実施の形態によれば、作業の安全性を高めることができる。
【００１９】
本発明の第１１の実施の形態は、第１の実施の形態による収納容器付き塵芥収集車であって、リア面に小窓を設け、小窓から収納容器に収納物を投入可能とするものである。本実施の形態によれば、後部扉を操作することなく収納物を収納できる。
【００２０】
本発明の第１２の実施の形態は、第１から第１１の実施の形態による収納容器付き塵芥収集車であって、掻き込み手段が、フロント面とリア面との間で揺動する押し込み板と、押し込み板より下方において回転軸を中心にして回転する回転板とで構成され、収納容器を、押し込み板とリア面との間で、回転板の回転軌跡範囲より上方位置に設けたものである。本実施の形態によれば、押し込み板と回転板とを有する回転式塵芥収集車において、収納容器を設けることができる。
【００２１】
本発明の第１３の実施の形態は、第１から第１１の実施の形態による収納容器付き塵芥収集車であって、掻き込み手段が、上下方向に移動するアーム部材と、アーム部材の下端に回転軸を有して所定角度回動する押し込み板とで構成され、収納容器を、アーム部材とリア面との間で、押し込み板の回動軌跡範囲より上方位置に設けたものである。本実施の形態によれば、アーム部材と押し込み板とを有するプレス式塵芥収集車において、収納容器を設けることができる。
【００２２】
本発明の第１４の実施の形態は、第１又は第２の実施の形態による収納容器付き塵芥収集車であって、一対の側壁によって保持される収納容器用バーを設け、収納容器を収納容器用バーに取り付けるものである。本実施の形態によれば、収納容器用バーを一対の側壁間に設けるため、収納容器を取り付けやすい。
【００２３】
本発明の第１５の実施の形態は、第１４の実施の形態による収納容器付き塵芥収集車であって、一対の側壁に、収納容器用バーを保持する受け具を設け、収納容器を収納容器用バーとともに受け具から取り外しできるものである。本実施の形態によれば、収納容器用バーとともに収納容器を取り外すことができ、積載した収納物を、収容箱から廃棄しやすい。
【００２４】
本発明の第１６の実施の形態は、第１４又は第１５の実施の形態による収納容器付き塵芥収集車であって、収納容器用バーを、第１の収納容器用バーと第２の収納容器用バーとで構成し、収納容器を、第１の収納容器用バーの下方に吊り下げ、第２の収納容器用バーとリア面との間に配置したものである。本実施の形態によれば、収納容器が掻き込み手段に巻き込まれることを防止できる。
【００２５】
本発明の第１７の実施の形態は、第１４又は第１５の実施の形態による収納容器付き塵芥収集車であって、収納容器用バーを、第１の収納容器用バーと第２の収納容器用バーとで構成し、収納容器を、第１の収納容器用バーと第２の収納容器用バーとで吊り下げるものである。本実施の形態によれば、収納容器を安定して保持することができる。
【００２６】
本発明の第１８の実施の形態は、第１６又は第１７の実施の形態による収納容器付き塵芥収集車であって、第１の収納容器用バーを第２の収納容器用バーよりもリア面側に配置し、第２の収納容器用バーを、第１の収納容器用バーよりも低い位置としたものである。本実施の形態によれば、リア面に近い第１の収納容器用バーが第２の収納容器用バーよりも高い位置にあるため、例えば収納容器の固定作業やメンテナンスが容易となる。
【実施例】
【００２７】
以下本発明の一実施例による収納容器付き塵芥収集車について説明する。
図１は本実施例による収納容器付き塵芥収集車の構成図、図２は同塵芥収集車をリア面から見た要部斜視図、図３は同塵芥収集車に用いる収納容器を示す斜視図、図４は同塵芥収集車において収納容器が収納位置にある状態を示す投入箱の要部構成図、図５は同塵芥収集車において収納容器が投入位置にある状態を示す投入箱の要部構成図、図６は同塵芥収集車において収納容器の廃棄動作状態を示す投入箱の要部構成図である。
である。
【００２８】
本実施例による収納容器付き塵芥収集車１は、塵芥を収容する収容箱１０と、収容箱１０の後方開口部１１に連通させて装着する投入箱２０とを有している。
投入箱２０は、収容箱１０の後方開口部１１に対向するフロント面２０Ｆと、後部扉２１を有するリア面２０Ｒと、一対の側壁２２とで囲まれる空間２３Ｓ内に、塵芥を収容箱１０に導く掻き込み手段３０を備えている。掻き込み手段３０の下方は底面２０Ｂで閉塞されている。
本実施例による収納容器付き塵芥収集車１は、回転式塵芥収集車であり、掻き込み手段３０は、フロント面２０Ｆとリア面２０Ｒとの間で揺動する押し込み板３１と、押し込み板３１より下方において回転軸３２aを中心にして回転する回転板３２とで構成されている。
【００２９】
本実施例による収納容器付き塵芥収集車１は、予定された収集物とは種類が異なり、混載することが好ましくない収集物を収納する分別回収用として、又は手袋や雨具等の道具入れ用として利用することができる収納容器４０を設けている。
図１では、収納位置に配置された状態として収納容器４０Ａを、投入位置に配置された状態として収納容器４０Ｂを示している。
収納位置では、収納容器４０Ａは、掻き込み手段３０とリア面２０Ｒとの間で、かつ、掻き込み手段３０の作動軌跡範囲外に配置されている。
すなわち、収納容器４０Ａは、押し込み板３１とリア面２０Ｒとの間で、回転板３２の回転軌跡範囲３２Ｓより上方位置に設けている。
収納容器４０は、昇降手段５０によって投入箱２０に設けている。
【００３０】
図２及び図３を用いて収納容器４０について説明する。
収納容器４０は、リア面２０Ｒ側に位置する後板４１と、フロント面２０Ｆ側に位置する前板４２と、側壁２２側に位置する一対の側板４３と、底面２０Ｂ側に位置する底板４４とで形成されている。
収納容器４０には、側板４３に平行な仕切板４５と、蓋板４６とを設けている。仕切板４５は、一対の側板４３の間で移動できるように構成されている。仕切板４５を設けることで種類の異なる分別回収物を区分して収納できるとともに、仕切板４５を移動できることで長尺物の収納もできる。なお、仕切板４５を横に寝かすことができるように構成することでも長尺物の収納ができる。
【００３１】
収納容器４０は、後板４１と前板４２とで規制される奥行き寸法４０Ｘより、一対の側板４３で規制される幅寸法４０Ｙが大きく、幅寸法４０Ｙは、前板４２の高さ寸法４２Ｈより大きい。このように、幅寸法４０Ｙは、奥行き寸法４０Ｘや前板４２の高さ寸法４２Ｈより大きく構成していることで、例えば蛍光灯などの長尺物を収納することができる。幅寸法４０Ｙは、後部扉２１の開口幅寸法２１Ｙより小さく、開口幅寸法２１Ｙの５０％以上であることが好ましい。
また、後板４１の高さ寸法４１Ｈは、前板４２の高さ寸法４２Ｈより小さくすることで、リア面２０Ｒ側からの作業性を高めている。
収納容器４０は、後板４１又は底板４４にハンドルレバー４７を備えていることが好ましい。
【００３２】
図３に示すように、昇降手段５０は、一対の側板４３に対応した一対の昇降手段５０Ａ、５０Ｂで構成される。
それぞれの昇降手段５０Ａ、５０Ｂは、第１のリンク材５１と、第２のリンク材５２と、第１のリンク材５１と第２のリンク材５２とを連結する連結材５３と、第１のリンク材５１を側壁２２に取り付ける取付部材５４とからなる。
第１のリンク材５１の一端は回動自在に取付部材５４に取り付けられる。第１のリンク材５１の他端は回動自在に連結材５３に取り付けられる。第２のリンク材５２の一端は回動自在に連結材５３に取り付けられる。第２のリンク材５２の他端５２ａ、５２ｂは回動自在に側板４３に取り付けられる。
第２のリンク材５２の他端５２ｂには、軸５２ｃとスプリング５２ｄが設けられている。
図３では、軸５２ｃとスプリング５２ｄとを他端５２ｂから分離した分解状態を示している。
軸５２ｃは、第２リンク材５２の他端５２ｂに設けられ、スプリング５２ｄによって側板４３側に付勢され、側板４３の孔４３ａに係合している。軸５２ｃは、側板４３から引き離す方向に引っ張ることで孔４３ａから離脱させることができる。
軸５２ｃ、スプリング５２ｄ、及び孔４３ａによって反転機構６０が構成される。
【００３３】
なお、図示はしないが、蓋板４６は、昇降手段５０の動作に伴って、収納位置で閉とし、投入位置で開とするリンク機構を備えていることが好ましい。このようなリンク機構を備えることで、車両走行時や収納容器４０の動作時に分別回収物が落下することを防止でき、更に分別回収物の収納作業性を低下させない。
また、ハンドルレバー４７の操作によって昇降手段５０の動作を可能とし、ハンドルレバー４７を操作しない状態では昇降手段５０の動作をロックされるロック機構を備えていることが好ましい。このようなロック機構を備えることで、収納位置及び投入位置で収納容器４０の動きを規制することで作業性を高め、更にハンドルレバー４７を用いた操作を強制することで、危険な空間への手の挿入などを無くして安全性を高めることができる。
また、収納容器４０に照射手段を設け、少なくとも投入位置では照射手段による照明を行うことが好ましい。特に照射手段は底板４４の下面に設けることが好ましい。このような照射手段を備えることで、収納容器４０が投入位置に配置されることで視認しにくくなる投入口を明るくして作業の安全性を高めることができる。
【００３４】
図４から図６を用いて収納容器４０の動作について説明する。
図４は収納容器４０を収納位置に配置した状態を示している。
連結材５３が取付部材５４よりも高い位置となるように昇降手段５０が動作し、収納容器４０Ａは、空間２３Ｓ内に収納される。
収納容器４０が収納位置に配置される状態では、押し込み板３１とリア面２０Ｒとの間で、回転板３２の回転軌跡範囲３２Ｓより上方位置に配置され、後部扉２１を閉めることができる。
また、図示のように、ハンドルレバー４７についても、押し込み板３１とリア面２０Ｒとの間で、回転板３２の回転軌跡範囲３２Ｓより上方位置に配置されるため、作業の安全性が高い。収納位置では蓋板４６は閉状態となっていることが好ましい。
【００３５】
図５は収納容器４０を投入位置に配置した状態を示している。なお、投入位置とは、分別回収物を収納容器４０に投入するための位置である。
作業者は、図４に示す状態でハンドルレバー４７を握って収納容器４０を引き出すことで、図５に示す状態に収納容器４０を位置させることができる。
ハンドルレバー４７を握ることで、昇降手段５０のロック機構が解除され、ハンドルレバー４７を握って引き出すことで、第１のリンク材５１及び第２のリンク材５２が連結材５３及び取付部材５４に対して回動して、少なくとも収納容器４０の一部が後部扉２１外に位置するように収納容器４０を配置できる。
【００３６】
なお、図示のように、収納容器４０の全てが後部扉２１外に位置することが好ましい。また、昇降手段５０の動作に伴って蓋板４６が開状態となっていることが好ましい。
また、投入位置では掻き込み手段３０の動作を停止する制御手段を備えることで、作業の安全性を高めることができる。
このように、収納容器４０を投入位置に配置できることで、収納容器４０への分別回収物の収納作業性が高まる。
また、収納容器４０の投入位置を、投入箱２０内に位置する収納位置よりも低くしたことで、収納容器４０への分別回収物の収納作業性が更に高まる。
【００３７】
図６は収納容器４０内の分別回収物を取り出す廃棄動作状態を示している。図６に示すように、廃棄動作は、投入位置において行えることが好ましいが、収納位置で行うこともできる。
図６では、軸５２ｃを側板４３の孔４３ａから離脱させて、収納容器４０を反転させて底板４４を上面とした状態である。
軸５２ｃを側板４３の孔４３ａから離脱させることで、収納容器４０を反転させ、分別回収物を落下させることができる。軸５２ｃや孔４３ａからなる反転機構６０を備えることで、収納した分別回収物の廃棄を容易に行える。
【００３８】
以下、本発明の他の実施例による収納容器付き塵芥収集車について説明する。
図７は同塵芥収集車において収納容器が収納位置にある状態を示す投入箱の要部構成図、図８は同塵芥収集車において収納容器が投入位置にある状態を示す投入箱の要部構成図、図９は図７から図８への動作状態を示す投入箱の要部構成図である。
なお、基本構成は上記実施例と同一であるので、同一符号を付して説明を省略し、以下では上記実施例と異なる点について説明する。
本実施例による収納容器付き塵芥収集車１は、プレス式塵芥収集車であり、掻き込み手段３０は、上下方向に移動するアーム部材３３と、アーム部材３３の下端に回転軸３４ａを有して所定角度回動する押し込み板３４とで構成されている。
収納位置では、収納容器４０Ａは、アーム部材３３とリア面２０Ｒとの間で、押し込み板３４の回動軌跡範囲より上方位置に設けている。
本実施例における昇降手段５０は、一対の側壁２２に対応した一対のガイドレール５５で構成される。収納容器４０は、ガイドレール５５に沿って収納位置と投入位置とに移動することができる。
【００３９】
以上のように、押し込み板３１と回転板３２とを有する回転式塵芥収集車、アーム部材３３と押し込み板３４とを有するプレス式塵芥収集車のいずれであっても、掻き込み手段３０とリア面２０Ｒとの間で、かつ、掻き込み手段３０の作動軌跡範囲外に収納容器４０を設けることで、塵芥収集時において、予定された収集物とは種類の異なる分別回収物が廃棄されている場合であっても、この分別回収物を、収容箱１０とは区別して収納容器４０に収納でき、この収納容器４０を投入箱２０内のデッドスペースに設けているため、車両走行時に飛散することもない。
なお、リア面２０Ｒに小窓を設け、小窓から収納容器４０に分別回収物を投入可能とすることで、後部扉２１を開くことなく分別回収物を収納できる。
【００４０】
以下、本発明の更に他の実施例による収納容器付き塵芥収集車について説明する。
図１０は同塵芥収集車において収納容器を示す投入箱の要部構成図である。
なお、基本構成は上記実施例と同一であるので、同一符号を付して説明を省略し、以下では上記実施例と異なる点について説明する。
本実施例による収納容器付き塵芥収集車１は、一対の側壁２２によって保持される収納容器用バー７０を設けている。一対の側壁２２には受け具２２ａを設けている。収納容器用バー７０は、受け具２２ａによって保持されている。収納容器４０Ｌは収納容器用バー７０に取り付けている。収納容器４０Ｌは、収納容器用バー７０とともに受け具２２ａから取り外しできることが好ましい。
【００４１】
本実施例によれば、収納容器用バー７０を一対の側壁２２間に設けるため、収納容器４０Ｌを取り付けやすい。
また、本実施例によれば、収納容器用バー７０とともに収納容器４０Ｌを取り外すことができる場合には、積載した収納物を、収容箱１０から廃棄しやすい。
なお、本実施例において、受け具２２ａを設けることなく、収納容器用バー７０を一対の側壁２２に溶接固定してもよい。
【００４２】
以下、本発明の更に他の実施例による収納容器付き塵芥収集車について説明する。
図１１は同塵芥収集車において収納容器を示す投入箱の要部構成図である。
なお、基本構成は上記実施例と同一であるので、同一符号を付して説明を省略し、以下では上記実施例と異なる点について説明する。
本実施例による収納容器付き塵芥収集車１は、収納容器用バーを、第１の収納容器用バー７１と第２の収納容器用バー７２とで構成している。本実施例では、第１の収納容器用バー７１及び第２の収納容器用バー７２は、一対の側壁２２に溶接固定されて、保持されている。
収納容器４０Ｍは、第１の収納容器用バー７１の下方に吊り下げ、第２の収納容器用バー７２とリア面２０Ｒとの間に配置している。収納容器４０Ｍのフロント面２０Ｆ側は、第２の収納容器用バー７２に固定している。
収納容器４０Ｍは、リア面２０Ｒ側に蓋板４６Ｍを設けている。蓋体４６Ｍは、下端にヒンジを設けて、開閉可能となっている。蓋体４６Ｍは、図１１に示すように、開状態で下方に垂下した状態でも回転板３２の作動軌跡範囲外に位置させている。
第１の収納容器用バー７１は第２の収納容器用バー７２よりもリア面２０Ｒ側に配置し、第２の収納容器用バー７２は、第１の収納容器用バー７１よりも低い位置としている。
【００４３】
本実施例によれば、収納容器４０Ｍが掻き込み手段３０に巻き込まれることを防止できる。
また、本実施例によれば、リア面２０Ｒに近い第１の収納容器用バー７１は第２の収納容器用バー７２よりも高い位置にあるため、例えば収納容器４０Ｍの固定作業やメンテナンスが容易となる。
なお、本実施例において、収納容器４０Ｍのフロント面２０Ｆ側は、第２の収納容器用バー７２に固定することなく、当接させてもよい。
また、本実施例において、一対の側壁２２には受け具２２ａを設け、第１の収納容器用バー７１及び第２の収納容器用バー７２は、受け具２２ａによって保持されてもよい。
【００４４】
以下、本発明の更に他の実施例による収納容器付き塵芥収集車について説明する。
図１２は同塵芥収集車において収納容器を示す投入箱の要部構成図である。
なお、基本構成は上記実施例と同一であるので、同一符号を付して説明を省略し、以下では上記実施例と異なる点について説明する。
本実施例による収納容器付き塵芥収集車１は、収納容器用バーを、第１の収納容器用バー７１と第２の収納容器用バー７３とで構成している。本実施例では、第１の収納容器用バー７１及び第２の収納容器用バー７３は、一対の側壁２２に溶接固定されて、保持されている。
収納容器４０Ｎは、第１の収納容器用バー７１と第２の収納容器用バー７３とで吊り下げている。
第１の収納容器用バー７１は第２の収納容器用バー７３よりもリア面２０Ｒ側に配置し、第２の収納容器用バー７３は、第１の収納容器用バー７１よりも低い位置としている。
【００４５】
本実施例によれば、収納容器４０Ｎを安定して保持することができる。
また、本実施例によれば、リア面２０Ｒに近い第１の収納容器用バー７１は第２の収納容器用バー７３よりも高い位置にあるため、例えば収納容器４０Nの固定作業やメンテナンスが容易となる。
なお、本実施例において、一対の側壁２２には受け具２２ａを設け、第１の収納容器用バー７１及び第２の収納容器用バー７３は、受け具２２ａによって保持されてもよい。
また、特に図１０から図１２に示す収納容器４０Ｌ、４０Ｍ、４０Ｎにあっては、収集物を収納でき、収納容器用バー７０、第１の収納容器用バー７１、又は第２の収納容器用バー７２、７３に取り付けることができれば、後板、底板、及び側板からなる方形状のものである必要はなく、柔軟に形状が変化する網状のネットや合成樹脂材で形成されたものでもよい。
【産業上の利用可能性】
【００４６】
本発明は、回転式塵芥収集車、プレス式塵芥収集車のいずれであっても、収納容器を投入箱内に設けることができる。
【符号の説明】
【００４７】
１０  収容箱
２０  投入箱
２０Ｆ  フロント面
２０Ｒ  リア面
２１  後部扉
２２  側壁
２３Ｓ  空間
３０  掻き込み手段
３１  押し込み板
３２  回転板
３２ａ  回転軸
３３  アーム部材
３４  押し込み板
３４ａ  回転軸
４０  収納容器
４０Ｌ  収納容器
４０Ｍ  収納容器
４０Ｎ  収納容器
４０Ｘ  奥行き寸法
４０Ｙ  幅寸法
４１  後板
４２  前板
４３  側板
４４  底板
４５  仕切板
４６  蓋板
４７  ハンドルレバー
５０  昇降手段
６０  反転機構
７０  収納容器用バー
７１  第１の収納容器用バー
７２  第２の収納容器用バー
７３  第２の収納容器用バー
【図１】
2014208554.tif 000003
【図２】
2014208554.tif 000004
【図３】
2014208554.tif 000005
【図４】
2014208554.tif 000006
【図５】
2014208554.tif 000007
【図６】
2014208554.tif 000008
【図７】
2014208554.tif 000009
【図８】
2014208554.tif 000010
【図９】
2014208554.tif 000011
【図１０】
2014208554.tif 000012
【図１１】
2014208554.tif 000013
【図１２】
2014208554.tif 000014